(57)【要約】【課題】衝撃の発生を抑止し、品質感を向上させたパチンコ遊技機のハンドル装置を提供する。【解決手段】操作ハンドル２の回動に伴って回動し、ギア６ｂが形成された回動ギア部材６と、回動ギア部材６に回動可能に取り付けられたギア支持部材７と、ギア６ｂと噛合する小径ギア８ｂと、フライホイール９に形成されたギア９ｂと噛合し小径ギア８ｂよりも歯数が多い大径ギア８ａが同軸に形成され、ギア支持部材７に回転自在に取り付けられた遊動ギア８とから構成され、開位置方向に回動された操作ハンドル２が閉位置方向に回動すると、操作ハンドル２の閉位置方向の回動に伴ってギア支持部材７が閉位置方向に回動し、遊動ギア８の大径ギア８ａがフライホイール９のギア９ｂと噛合し、操作ハンドル２の回動負荷が増大するように構成する。【選択図】図２
2011005092.tif 000002
【特許請求の範囲】
【請求項１】
パチンコ遊技機の前面に取り付けられたハンドル装置本体と、閉位置から開位置に回動自在に前記ハンドル装置本体に取り付けられ、閉位置方向に付勢された操作ハンドルを有し、前記操作ハンドルの回動操作により、遊技球を発射操作するパチンコ遊技機のハンドル装置であって、
複数のギアにより前記操作ハンドルの回動を増速させる増速機構と、
前記増速機構により回転され、前記操作ハンドルに回動負荷を与える回動負荷手段を有し、
少なくとも開位置から閉位置方向への前記操作ハンドルの回動負荷を増大させたことを特徴とするパチンコ遊技機のハンドル装置。
【請求項２】
増速機構は、
ギアが形成され、操作ハンドルの回動に伴って回動する回動ギア部材と、
前記回動ギア部材に回動可能に取り付けられたギア支持部材と、
前記回動ギア部材のギアと噛合し、前記ギアよりも歯数が少ない小径ギアと、回動負荷手段に形成されたギアと噛合し前記小径ギアよりも歯数が多い大径ギアが同軸に形成され、前記ギア支持部材に回転自在に取り付けられた遊動ギアと、
から構成され、
操作ハンドルを開位置方向に回動させると、操作ハンドルの回動に伴って前記ギア支持部材が開位置方向に回動し、前記遊動ギアの大径ギアと回動負荷手段のギアとの噛合が外れて、操作ハンドルの回動が軽負荷となり、
開位置方向に回動された操作ハンドルが閉位置方向に回動すると、操作ハンドルの閉位置方向の回動に伴って前記ギア支持部材が閉位置方向に回動し、前記遊動ギアの大径ギアが前記回動負荷手段のギアと噛合し、操作ハンドルの回動負荷が増大するように構成したことを特徴とする請求項１に記載のパチンコ遊技機のハンドル装置。
【請求項３】
ギア支持部材の開位置方向への回動を阻止する回動阻止手段を設けたことを特徴とする請求項２に記載のパチンコ遊技機のハンドル装置。
【請求項４】
増速機構は、
ギアが形成され、操作ハンドルの回動に伴って回動する回動ギア部材と、
前記回動ギア部材のギアと噛合し前記ギアよりも歯数が少ない小径ギアと、回動負荷手段に形成されたギアと常時噛合し前記小径ギアよりも歯数が多い大径ギアが同軸に形成された増速ギアと、
から構成され、
閉位置から開位置方向及び開位置から閉位置方向への操作ハンドルの回動負荷を増大させたことを特徴とする請求項１に記載のパチンコ遊技機のハンドル装置。
【請求項５】
回動負荷手段は、フライホイール部材であり、
前記フライホイール部材の慣性モーメントにより、ハンドルレバーの回動負荷を増大させたことを特徴とする請求項１〜請求項４のいずれかに記載のパチンコ遊技機のハンドル装置。
【請求項６】
フライホイール部材と接触して摩擦力を発生させる摩擦部材を設けたことを特徴とする請求項５に記載のパチンコ遊技機のハンドル装置。
【請求項７】
回動負荷手段は、部材と接触するフリクション部を有するフリクションホイールであり、
前記フリクション部と部材との間で発生する摩擦力によりハンドルレバーの回動負荷を増大させたことを特徴とする請求項１〜請求項４のいずれかに記載のパチンコ遊技機のハンドル装置。
【発明の詳細な説明】
【技術分野】
【０００１】
本発明は、パチンコ遊技機の遊技球を発射操作するためのハンドル装置の改良に関する。
【背景技術】
【０００２】
遊技球を遊技盤上に発射操作するためのハンドル装置は、パチンコ遊技機の前面下方に取り付けられていて、所定角度回動可能な操作ハンドルを備えている。特許文献１に示されるように、ハンドル装置にはボリューム（可変抵抗）を備えていて、操作ハンドルの回動に伴ってボリュームの抵抗値も変化し、発射ソレノイドに印加される電流値が変化し、遊技球の発射力を調整することができるようになっている。遊技者は操作ハンドルの回動角度を微調整することにより、遊技球の発射に関して技術介入し、遊技が進行するようになっている。
【０００３】
ところで、このようなハンドル装置には、操作ハンドルを閉位置に戻る方向に付勢する捲回スプリングが設けられていて、遊技者が操作ハンドルから手を離すと、操作ハンドルが閉位置に戻り、遊技球が無駄に発射されて消失してしまうことを防止している。ところが、前記捲回スプリングの付勢力により、操作ハンドルが勢い良く閉位置に戻ることから、操作ハンドルを閉位置に位置決めするストッパーに、操作ハンドルが衝突して、大きな打撃音が発生し、周囲の遊技者に不快感を与えるとともに、ハンドル装置の品質感が大きく損なわれるという問題があった。また、操作ハンドルがストッパーに勢い良く衝突することから、操作ハンドルやストッパーが破損する恐れがあった。
【先行技術文献】
【特許文献】
【０００４】
【特許文献１】特開平９−１０３８８号公報
【発明の概要】
【発明が解決しようとする課題】
【０００５】
本発明は、上記問題を解決し、衝撃の発生を抑止し、品質感を向上させたパチンコ遊技機のハンドル装置を提供することを目的とする。
【課題を解決するための手段】
【０００６】
上記課題を解決するためになされた請求項１に記載の発明は、
パチンコ遊技機の前面に取り付けられたハンドル装置本体と、閉位置から開位置に回動自在に前記ハンドル装置本体に取り付けられ、閉位置方向に付勢された操作ハンドルを有し、前記操作ハンドルの回動操作により、遊技球を発射操作するパチンコ遊技機のハンドル装置であって、
複数のギアにより前記操作ハンドルの回動を増速させる増速機構と、
前記増速機構により回転され、前記操作ハンドルに回動負荷を与える回動負荷手段を有し、
少なくとも開位置から閉位置方向への前記操作ハンドルの回動負荷を増大させたことを特徴とする。
【０００７】
請求項２に記載の発明は請求項１に記載の発明において、
増速機構は、
ギアが形成され、操作ハンドルの回動に伴って回動する回動ギア部材と、
前記回動ギア部材に回動可能に取り付けられたギア支持部材と、
前記回動ギア部材のギアと噛合し、前記ギアよりも歯数が少ない小径ギアと、回動負荷手段に形成されたギアと噛合し前記小径ギアよりも歯数が多い大径ギアが同軸に形成され、前記ギア支持部材に回転自在に取り付けられた遊動ギアと、
から構成され、
操作ハンドルを開位置方向に回動させると、操作ハンドルの回動に伴って前記ギア支持部材が開位置方向に回動し、前記遊動ギアの大径ギアと回動負荷手段のギアとの噛合が外れて、操作ハンドルの回動が軽負荷となり、
開位置方向に回動された操作ハンドルが閉位置方向に回動すると、操作ハンドルの閉位置方向の回動に伴って前記ギア支持部材が閉位置方向に回動し、前記遊動ギアの大径ギアが前記回動負荷手段のギアと噛合し、操作ハンドルの回動負荷が増大するように構成したことを特徴とする。
【０００８】
請求項３に記載の発明は請求項２に記載の発明において、
ギア支持部材の開位置方向への回動を阻止する回動阻止手段を設けたことを特徴とする。
【０００９】
請求項４に記載の発明は請求項１に記載の発明において、
増速機構は、
ギアが形成され、操作ハンドルの回動に伴って回動する回動ギア部材と、
前記回動ギア部材のギアと噛合し前記ギアよりも歯数が少ない小径ギアと、回動負荷手段に形成されたギアと常時噛合し前記小径ギアよりも歯数が多い大径ギアが同軸に形成された増速ギアと、
から構成され、
閉位置から開位置方向及び開位置から閉位置方向への操作ハンドルの回動負荷を増大させたことを特徴とする。
【００１０】
請求項５に記載の発明は、請求項１〜請求項４に記載の発明において、
回動負荷手段は、フライホイール部材であり、
前記フライホイール部材の慣性モーメントにより、ハンドルレバーの回動負荷を増大させたことを特徴とする。
【００１１】
請求項６に記載の発明は請求項５に記載の発明において、
フライホイール部材と接触して摩擦力を発生させる摩擦部材を設けたことを特徴とする。
【００１２】
請求項７に記載の発明は、請求項１〜請求項４に記載の発明において、
回動負荷手段は、部材と接触するフリクション部を有するフリクションホイールであり、
前記フリクション部と部材との間で発生する摩擦力によりハンドルレバーの回動負荷を増大させたことを特徴とする。
【発明の効果】
【００１３】
請求項１に記載の発明は、複数のギアにより操作ハンドルの回動を増速させる増速機構と、増速機構により回転され、操作ハンドルに回動負荷を与える回動負荷手段を有し、少なくとも開位置から閉位置方向への前記操作ハンドルの回動負荷を増大させたことを特徴とする。
これにより、操作ハンドルの回動が増速されて回動負荷手段に伝達されることから、操作ハンドルの回動速度が遅くなり、衝撃の発生が抑制され、ハンドル装置の品質感を向上させることが可能となる。
【００１４】
請求項２に記載の発明は請求項１に記載の発明において、増速機構は、ギアが形成され、操作ハンドルの回動に伴って回動する回動ギア部材と、前記回動ギア部材に回動可能に取り付けられたギア支持部材と、前記回動ギア部材のギアと噛合し前記ギアよりも歯数が少ない小径ギアと、回動負荷手段に形成されたギアと噛合し前記小径ギアよりも歯数が多い大径ギアが同軸に形成され、前記ギア支持部材に回転自在に取り付けられた遊動ギアとから構成されたことを特徴とする。
これにより、操作ハンドルを開位置方向に回動させると、遊動ギアの大径ギアとフライホイール部材の小径ギアとの噛合が外れ、操作ハンドルの回動負荷が大きくならず、従来のハンドル装置と同じような感覚で、遊技者が操作ハンドルを回動操作することが可能となる。
【００１５】
請求項３に記載の発明は請求項２に記載の発明において、ギア支持部材の開位置方向への回動を阻止する回動阻止手段を設けたことを特徴とする。
これにより、遊動ギアの大径ギアとフライホイール部材の小径ギアとの噛合が外れた状態でも、遊動ギアは回動負荷手段のギアの近傍に位置しているので、遊技者が操作ハンドルから手を離すと、直ぐに、遊動ギアの大径ギアがフライホイール部材の小径ギアに噛合し、操作ハンドルの回動負荷が大きくなることから、操作ハンドの回動速度の増速を抑止することが可能となる。
【００１６】
請求項４に記載の発明は請求項１に記載の発明において、増速機構は、ギアが形成され、操作ハンドルの回動に伴って回動する回動ギア部材と、前記回動ギア部材のギアと噛合し前記ギアよりも歯数が少ない小径ギアと、回動負荷手段に形成されたギアと常時噛合し前記小径ギアよりも歯数が多い大径ギアが同軸に形成された増速ギアとから構成され、閉位置から開位置方向及び開位置から閉位置方向への操作ハンドルの回動負荷を増大させたことを特徴とする。
これにより、増速ギアの大径ギアが回動負荷手段のギアと常時噛合しているので、常時操作ハンドルに回動負荷が作用するので、操作ハンドルの回動量の調整が容易となり、ハンドル操作が安定する。
【００１７】
請求項５に記載の発明は、請求項１〜請求項４に記載の発明において、回動負荷手段は、フライホイール部材であり、前記フライホイール部材の慣性モーメントにより、ハンドルレバーの回動負荷を増大させたことを特徴とする。
これにより、確実にハンドルレバーの回動負荷を増大させることが可能となる。
【００１８】
請求項６に記載の発明は請求項５に記載の発明において、フライホイール部材と接触して摩擦力を発生させる摩擦部材を設けたことを特徴とする。
これにより、摩擦部材とフライホイール部材との摩擦力により、操作ハンドルの回動負荷が更に大きくなるので、操作ハンドルの閉位置方向への回動速度を更に遅くすることが可能となる。
【００１９】
請求項７に記載の発明は、請求項１〜請求項４に記載の発明において、回動負荷手段は、部材と接触するフリクション部を有するフリクションホイールであり、前記フリクション部と部材との間で発生する摩擦力によりハンドルレバーの回動負荷を増大させたことを特徴とする。
これにより、確実にハンドルレバーの回動負荷を増大させることが可能となる。
【図面の簡単な説明】
【００２０】
【図１】第１の実施形態のパチンコ遊技機のハンドル装置の分解斜視図である。
【図２】ハンドルキャップを取り外した状態のハンドル装置の正面図である。（第１の実施形態）
【図３】ハンドルキャップを取り外した状態のハンドル装置の斜視図である。（第１の実施形態）
【図４】ハンドル装置の要部斜視図である。（第１の実施形態）
【図５】第１の実施形態のパチンコ遊技機のハンドル装置の別例の斜視図である。
【図６】第２の実施形態のパチンコ遊技機のハンドル装置の分解斜視図である。
【図７】ハンドルキャップを取り外した状態のハンドル装置の正面図である。（第２の実施形態）
【図８】ハンドルキャップを取り外した状態のハンドル装置の斜視図である。（第２の実施形態）
【図９】ハンドルキャップを取り外した状態のハンドル装置の正面図である。（第３の実施形態）
【図１０】ハンドルキャップを取り外した状態のハンドル装置の正面図である。（第４の実施形態）
【発明を実施するための形態】
【００２１】
（第１の実施形態）
以下に図面を参照しつつ、本発明の好ましい実施の形態（第１の実施形態）を示す。第１の実施形態のパチンコ遊技機のハンドル装置１００は、操作ハンドル２の回動に連動して回転するフライホイール部材９の慣性モーメントにより、操作ハンドル２が閉位置に戻る際の操作ハンドル２の回動負荷を増大させた実施形態である。以下、詳細に説明する。図１において、１はハンドル装置本体、２は遊技者が握る操作ハンドル、３はハンドルキャップである。ハンドル装置本体１は、筒状であり、パチンコ遊技機の前面下方に取り付けられる。操作ハンドル２は、ハンドル装置本体１の前端に回動自在に取り付けられ、ハンドル装置本体１に取り付けられた捲回スプリング４によって閉位置方向に常時付勢されている。ハンドルキャップ３は、各部材を遮蔽するように、ハンドル装置本体１の前端に配設されている。
【００２２】
ハンドル装置本体１の前端には、回動軸を挟むように複数のストッパー１ａが形成されている。操作ハンドル２に形成された閉位置ストッパー受け２ａがストッパー１ａに当接して、操作ハンドル２の閉位置が位置決めされる。操作ハンドル２には、閉位置ストッパー受け２ａに隣接して、開位置ストッパー受け２ｂが形成されている。開位置ストッパー受け２ｂがストッパー１ａに当接すると、操作ハンドル２の開位置方向の回動が阻止され、操作ハンドル２の全開位置が位置決めされる。
【００２３】
ハンドル装置本体１内には、ボリューム（図示せず）が配設されていて、操作ハンドル２の閉位置から開位置方向への回動に伴ってボリュームの抵抗値も変化し、発射ソレノイドに印加される電流値が変化し、遊技球の発射力を調整することができるようになっている。なお、操作ハンドル２が閉位置にある場合には、遊技球が発射されず、操作ハンドル２の開位置に方向への回動に伴って、徐々に発射される遊技球の勢いが大きくなり、より遠くに遊技球が発射されるようになる。操作ハンドル２が開位置（全開位置）にある場合には、発射される遊技球の勢いが最大となる。
【００２４】
５はハンドル装置本体１の前端に取り付けられる基盤である。基盤５は、円盤形状であり、後述する各種部品が取り付けられる。６は回動ギア部材であり、筒状の本体６ａの先端にギア６ｂが形成されている。回動ギア部材６は、基盤５に回動可能に取り付けられている。本体６ａの外周面には係合突起６ｃが形成され、この係合突起６ｃが操作ハンドル２と係合し、操作ハンドル２の回動に連動して、回動ギア部材６が回動するようになっている。
【００２５】
回動ギア部材６の本体６ａには、ギア支持部材７が回動可能に取り付けられている。図に示される実施形態では、ギア支持部材７は、洋梨板形状であり、円盤形状の基部７ａから突出した突出部７ｂが形成されている。突出部７ｂの先端には、当接突起７ｃが形成されている。図２や図４に示されるように、基盤５上には、第１の規制突起５ａと、第２の規制突起５ｂが互いに隣接して突設されている。第１の規制突起５ａは、ギア支持部材７の当接突起７ｃと当接して、ギア支持部材７の開位置方向への回動を阻止する。また、第２の規制突起５ｂは、ギア支持部材７の当接突起７ｃと当接して、ギア支持部材７の開位置方向への回動を阻止する。
【００２６】
ギア支持部材７の突出部７ｂには、遊動ギア８が回転自在に取り付けられている。遊動ギア８には、大径ギア８ａと小径ギア８ｂとが同軸に形成されている。勿論、大径ギア８ａの歯数は、小径ギア８ｂの歯数よりも多くなっている。小径ギア８ｂは、回動ギア部材６のギア６ｂと噛合している。
【００２７】
基盤５上には、フライホイール部材９が回転自在に取り付けられている。フライホイール部材９には、円盤状のフライホイール支持部９ａとギア９ｂとが同軸に形成されている。ギア９ｂは、遊動ギア８の大径ギア８ａと噛合している。フライホイール支持部９ａには、金属等で構成されたフライホイール９ｃが取り付けられている。このため、フライホイール部材９の慣性モーメント（回転モーメント）が大きくなっている。なお、フライホイール部材９の慣性モーメントが十分に大きい場合には、フライホイール９ｃは不要である。
【００２８】
遊動ギア８の小径ギア８ｂの歯数は、回動ギア部材６のギア６ｂの歯数よりも少なくなっている。また、フライホイール部材９のギア９ｂの歯数は、遊動ギア８の大径ギア８ａの歯数よりも少なくなっている。このため、操作ハンドル２の回動が、増速されて、フライホイール部材９に伝達するようになっている。
【００２９】
操作ハンドル２を閉位置（図２の（Ａ）の状態）から開位置方向に回動させると、遊動ギア８の小径ギア８ｂと、回動ギア部材６のギア６ｂとが噛合しているため、操作ハンドル２の回動に伴ってギア支持部材７が開位置方向に回動し、図２の（Ｂ）に示されるように、遊動ギア８の大径ギア８ａとフライホイール部材９のギア９ｂとの噛合が外れる。大径ギア８ａとギア９ｂとの噛合が外れると、ギア支持部材７の当接突起７ｃが第２の規制突起５ｂに当接して、ギア支持部材７の開位置方向への回動が阻止される。このため、遊動ギア８の大径ギア８ａは、フライホイール部材９のギア９ｂの近傍に位置している。
【００３０】
操作ハンドル２が開位置にある状態（図２の（Ｂ）の状態）で、遊技者が操作ハンドル２から手を離すと、捲回スプリング４の付勢力により、操作ハンドル２が閉位置方向に回動し、これに伴ってギア支持部材７が閉位置方向に回動して、遊動ギア８の大径ギア８ａがフライホイール部材９のギア９ｂに噛合する。大径ギア８ａがギア９ｂに噛合すると、フライホイール部材９の慣性モーメントは大きく、操作ハンドル２の回動が増速されてフライホイール部材９に伝達されることから、操作ハンドル２の閉位置方向に戻る方向の回動負荷が大きくなり、操作ハンドル２の回動速度が遅くなる。これにより、閉位置ストッパー受け２ａがストッパー１ａに緩やかに当接し、打撃音の発生が抑制される。このため、周囲の遊技者に不快感を与えることがないだけでなく、操作ハンドル２がゆっくり閉位置に戻ることから、ハンドル装置の品質感が向上する。更に、操作ハンドル２がゆっくり閉位置に戻ることから、衝撃の発生が抑制され、ハンドル装置１００が衝撃により破損することがない。
【００３１】
本実施形態では、操作ハンドル２を開位置方向に回動させると、遊動ギア８の大径ギア８ａとフライホイール部材９のギア９ｂとの噛合が外れるので、操作ハンドル２の回動負荷が大きくならず（軽負荷で）、従来のハンドル装置と同じような感覚で、遊技者が操作ハンドル２を回動操作することができる。一方で、ギア支持部材７の当接突起７ｃと当接する第２の規制突起５ｂが形成されていることから、遊動ギア８の大径ギア８ａとフライホイール部材９のギア９ｂとの噛合が外れた状態でも、遊動ギア８の大径ギア８ａは、フライホイール部材９のギア９ｂの近傍に位置している。これにより、操作ハンドル２が開位置方向に回動されている状態で、遊技者が操作ハンドル２から手を離すと、直ぐに、遊動ギア８の大径ギア８ａがフライホイール部材９のギア９ｂに噛合して、操作ハンドル２の回動負荷が大きくなるので、捲回スプリング４の付勢力により操作ハンドル２の回動速度が増速することがない。このため、打撃音の発生を防止し、ハンドル装置１００の破損を防止することが可能となる。
【００３２】
図５に、第１の実施形態のハンドル装置１００の別例を示す。図５に示されるように、フライホイール部材９のフライホイール支持部９ａ及びフライホイール９ｃの少なくとも一方と接触する摩擦部材１１が設けられている。図５に示され実施形態では、摩擦部材１１は、フライホイール部材９のフライホイール支持部９ａ及びフライホイール９ｃの少なくとも一方と接触するトーションスプリングである。このように、図５に示される実施形態では、摩擦部材１１を設けたので、摩擦部材１１とフライホイール部材９又はフライホイール９ｃとの摩擦力により、操作ハンドル２の回動負荷が更に大きくなるので、操作ハンドル２の閉位置方向への回動速度が更に遅くなり、打撃音及び衝撃の発生を更に抑制することが可能となる。なお、摩擦部材１１は、トーションスプリングに限定されず、フライホイール部材９及びフライホイール９ｃの少なくとも一方と接触するフェルト（不織布）等の摩擦部材であっても差し支えない。
【００３３】
（第２の実施形態）
以下に第２の実施形態のパチンコ遊技機のハンドル装置２００について、第１の実施形態と異なる点について説明する。図６〜図８に示されるように、第２の実施形態のハンドル装置２００は、フライホイール部材９の代わりに、フリクションホイール２１を基盤５に回転自在に取り付けた実施形態である。フリクションホイール２１にはギア２１ａが形成され、このギア２１ａは遊動ギア８の大径ギア８ａと噛合している。フリクションホイール２１は、基盤５と接触するフリクション部２１ｂを有している。フリクション部２１ｂは、フェルトやゴム、合成樹脂等で構成されている。フリクション部２１ｂは基盤５と接触しているので、フリクション部２１ｂと基盤５との間に摩擦力が発生する。
【００３４】
第１の実施形態と同様に、操作ハンドル２が開位置にある状態（図７の（Ｂ）の状態）で、遊技者が操作ハンドル２から手を離すと、捲回スプリング４の付勢力により、操作ハンドル２が閉位置方向に回動し、これに伴ってギア支持部材７が閉位置方向に回動して、遊動ギア８の大径ギア８ａがフライホイール部材９のギア９ｂに噛合する。大径ギア８ａがギア９ｂに噛合すると、操作ハンドル２の回動が増速されてフリクションホイール２１伝達され、フリクションホイール２１と基盤５との摩擦力により、操作ハンドル２の閉位置方向に戻る方向の回動負荷が大きくなり、操作ハンドル２の回動速度が遅くなる。これによる効果は、第１の実施形態と同様である。
【００３５】
なお、図に示した実施形態では、フリクションホイール２１のフリクション部２１ｂは基盤５に接触しているが、他の固定した部材にフリクションホイール２１を接触させた実施形態であっても差し支えない。
【００３６】
（第３の実施形態）
以下に第３の実施形態のパチンコ遊技機のハンドル装置３００について、第１の実施形態と異なる点について説明する。図９に示されるように、第３の実施形態のハンドル装置３００は、遊動ギア８の代わりに、増速ギア３８を設けた実施形態である。なお、第３の実施形態のハンドル装置３００では、ギア支持部材７は不要である。増速ギア３８は、基盤５に回転自在に取り付けられている。増速ギア３８には、大径ギア３８ａと小径ギア３８ｂとが同軸に形成されている。勿論、大径ギア３８ａの歯数、小径ギア３８ｂの歯数よりも多くなっている。小径ギア３８ｂは、回動ギア部材６のギア６ｂと噛合している。大径ギア３８ａは、フライホイール部材９のギア９ｂと常時噛合している。このように、第３の実施形態では、増速ギア３８の大径ギア３８ａがフライホイール部材９のギア９ｂと常時噛合しているので、操作ハンドル２を開位置方向に回動させる場合にも、操作ハンドル２に回動負荷が作用する。このため、操作ハンドル２の回動量を微調整しやすく、遊技者が狙った位置に遊技球を発射し易くなる。また、遊技者が、何かの都合で手ぶれが生じた場合であっても、操作ハンドル２が回動され難いので、遊技者のハンドル操作が安定する。
【００３７】
また、操作ハンドル２が開位置にある状態（図９の（Ｂ）の状態）で、遊技者が操作ハンドル２から手を離すと、捲回スプリング４の付勢力により、操作ハンドル２が閉位置方向に回動し、フライホイール部材９の慣性モーメントは大きく、操作ハンドル２の回動が増速されてフライホイール部材９に伝達されることから、操作ハンドル２の閉位置方向に戻る方向の回動負荷が大きくなり、操作ハンドル２の回動速度が遅くなる。これによる効果は、第１の実施形態と同様である。
【００３８】
なお、フライホイール部材９のフライホイール支持部９ａ及びフライホイール９ｃの少なくとも一方と接触する摩擦部材を設け、操作ハンドル２の回動負荷を更に増大させる構成にしても差し支えない。
【００３９】
（第４の実施形態）
以下に第４の実施形態のパチンコ遊技機のハンドル装置４００について、第２の実施形態と異なる点について説明する。図１０に示されるように、第４の実施形態のハンドル装置４００は、遊動ギア８の代わりに、増速ギア４８を設けた実施形態である。なお、第４の実施形態のハンドル装置４００では、ギア支持部材７は不要である。増速ギア４８は、基盤５に回転自在に取り付けられている。増速ギア４８には、大径ギア４８ａと小径ギア４８ｂとが同軸に形成されている。勿論、大径ギア４８ａの歯数、小径ギア４８ｂの歯数よりも多くなっている。小径ギア４８ｂは、回動ギア部材６のギア６ｂと噛合している。大径ギア４８ａは、フリクションホイール２１のギア２１ａと常時噛合している。このように、第４の実施形態では、増速ギア４８のギア４８ａがフリクションホイール２１のギア２１ａと常時噛合しているので、操作ハンドル２を開位置方向に回動させる場合にも、操作ハンドル２に回動負荷が作用する。このため、操作ハンドル２の回動量を微調整しやすく、遊技者が狙った位置に遊技球を発射し易くなる。また、遊技者が、何かの都合で手ぶれが生じた場合であっても、操作ハンドル２が回動され難いので、遊技者のハンドル操作が安定する。
【００４０】
また、操作ハンドル２が開位置にある状態（図１０の（Ｂ）の状態）で、遊技者が操作ハンドル２から手を離すと、捲回スプリング４の付勢力により、操作ハンドル２が閉位置方向に回動し、操作ハンドル２の回動が増速されてフリクションホイール２１伝達され、フリクションホイール２１と基盤５との摩擦力により、操作ハンドル２の閉位置方向に戻る方向の回動負荷が大きくなり、操作ハンドル２の回動速度が遅くなる。これによる効果は、第１の実施形態と同様である。
【００４１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うパチンコ遊技機のハンドル装置もまた技術的範囲に包含されるものとして理解されなければならない。      
【符号の説明】
【００４２】
１      ハンドル装置本体
１ａ    ストッパー
２      操作ハンドル
２ａ    閉位置ストッパー受け
２ｂ    開位置ストッパー受け
３      ハンドルキャップ
４      捲回スプリング
５      基盤
５ａ    第１の規制突起
５ｂ    第２の規制突起
６      回動ギア部材
６ａ    本体
６ｂ    ギア
６ｃ    係合突起
７      ギア支持部材
７ａ    基部
７ｂ    突出部
７ｃ    当接突起
８      遊動ギア
８ａ    大径ギア
８ｂ    小径ギア
９      フライホイール部材
９ａ    フライホイール支持部
９ｂ    ギア
９ｃ    フライホイール
１１    摩擦部材
２１    フリクションホイール
２１ａ  ギア部
２１ｂ  フリクション部
３８    増速ギア（第３の実施形態）
３８ａ  大径ギア
３８ｂ  小径ギア
４８    増速ギア（第４の実施形態）
４８ａ  大径ギア
４８ｂ  小径ギア
１００  パチンコ遊技機のハンドル装置（第１の実施形態）
２００  パチンコ遊技機のハンドル装置（第２の実施形態）
３００  パチンコ遊技機のハンドル装置（第３の実施形態）
４００  パチンコ遊技機のハンドル装置（第４の実施形態）
【図１】
2011005092.tif 000003
【図２】
2011005092.tif 000004
【図３】
2011005092.tif 000005
【図４】
2011005092.tif 000006
【図５】
2011005092.tif 000007
【図６】
2011005092.tif 000008
【図７】
2011005092.tif 000009
【図８】
2011005092.tif 000010
【図９】
2011005092.tif 000011
【図１０】
2011005092.tif 000012